(57)【要約】【課題】この発明に係る空気調和機は、ドレンパン内のドレン水に異物が混入しても、清掃装置により異物を除去するので、異物が吸引ポンプの吸引口を閉塞する恐れが低減し、円滑にドレン水を排出することができる空気調和機を提供するものである。【解決手段】この発明に係る空気調和機は、蒸発器３と、ドレン水４を受けるドレンパン５と、ドレンパン５を上層部６、下層部７に区画し複数の穴８ａが形成された仕切板８と、ドレンパン５内の水位を検出する第一の水位センサー９と、上層部６の内部に先端が臨みドレン水４を通す排水管１１と、第一の水位センサー９の信号によりドレン水４を排出する排水ポンプ１０と、下層部７に一端部が接続され、ドレン水４を通す清掃管１２と、ドレン水４を吸引する吸引ポンプ１６と、ドレン水４に含まれる異物を除去するＹ型ストレーナー１５を備えている。【選択図】図２
2007040636.tif 000002
【特許請求の範囲】
【請求項１】
蒸発器と、
この蒸発器の下側に設けられ、前記蒸発器の表面に付着し、滴下したドレン水を受けるドレンパンと、
前記ドレンパンの中間に上層部、下層部に区画するように設けられ、前記ドレン水が通る複数の穴が形成されている仕切板と、
前記上層部に設けられ、前記ドレンパン内の水位を検出する第一の水位センサーと、
前記上層部の内部に端部が臨み、前記ドレン水を排出する排水管と、
前記排水管に設けられ、前記第一の水位センサーの信号に応答して前記ドレン水を排出する排水ポンプと、
前記下層部に一端部が接続され、異物を含んだ前記ドレン水を通す清掃管と、
前記清掃管を通して前記ドレン水を吸引する吸引ポンプと、
前記吸引ポンプの上流に設けられ、前記ドレン水に含まれる異物を除去する第一の濾過器と、
を備えたことを特徴とする空気調和機。
【請求項２】
前記清掃管に設けられ、前記吸引ポンプにより吸引された前記ドレン水が前記ドレンパンへの逆流を防止する逆止弁を備えたことを特徴とする請求項１に記載の空気調和機。
【請求項３】
前記吸引ポンプにより吸引された前記ドレン水を貯留するためのタンクを備えたことを特徴とする請求項１または請求項２に記載の空気調和機。
【請求項４】
前記タンクに設けられ、前記タンク内に貯留された前記ドレン水から再度、異物を除去するための第二の濾過器を備えたことを特徴とする請求項３に記載の空気調和機。
【請求項５】
前記蒸発器、前記ドレンパン、前記第一の水位センサー、前記排水管、前記排水ポンプ、前記仕切板を有する空調室内機本体が複数個あり、それぞれの前記下層部には前記清掃管が接続されており、
それぞれの前記清掃管の端部に接続され、それぞれの前記清掃管から吸引された前記ドレン水を集める清掃集合管と、
それぞれの前記排水管の端部に接続され、それぞれの前記排水管から排出された前記ドレン水を集める排水集合管と、
を備えたことを特徴とする請求項１ないし請求項４の何れか１項に記載の空気調和機。
【請求項６】
前記タンクの出口には、前記排水集合管の端部が接続されていることを特徴とする請求項５に記載の空気調和機。
【請求項７】
前記ドレン水が前記ドレンパンの許容水量を超えたことを検知する第二の水位センサーを備え、この第二の水位センサーの信号に応答して、前記吸引ポンプが駆動することを特徴とする請求項１ないし請求項６の何れか１項に記載の空気調和機。
【請求項８】
前記吸引ポンプは、タイマーにより、駆動時間が設定されることを特徴とする請求項１ないし請求項７の何れか１項に記載の空気調和機。
【発明の詳細な説明】
【技術分野】
【０００１】
この発明は、ドレンパン内のドレン水を強制的に外部に排出してドレンパンを清掃する空気調和機に関する。
【背景技術】
【０００２】
従来の空調室内機として、蒸発器の下に設けられたドレンパンと、このドレンパンに設けられた水位センサーと、ドレンパン内部に端部が臨んだ排水管と、この排水管に設けられた吸引ポンプとを備えた空調室内機が知られている。（例えば、特許文献１参照）。
このものの場合には、冷凍サイクル中の蒸発器に付着し、滴下したドレン水をドレンパンで受け、貯留している。そして、ドレンパン内にドレン水が一定以上溜まると、これを水位センサーが検知し、吸引ポンプは駆動し、排水管からドレン水が排出される。
【０００３】
【特許文献１】実開昭６３−１９４２３８号公報
【発明の開示】
【発明が解決しようとする課題】
【０００４】
しかしながら、上記構成の空調室内機では、蒸発器に異物が付着した場合に、その付着した異物はドレン水とともにドレンパンに落下して溜まる。その後、排水ポンプは、ドレンパンに溜まった異物をドレン水と共に吸い込んでしまう。その結果、異物が、排水ポンプの吸入口を塞いでしまい、ドレン水の排出が円滑に行なわれなくなってしまうことが起こり得るという問題点があった。
【０００５】
この発明は、上述のような問題点を解決することを課題とするものであって、その目的は、ドレン水に異物が混入しても、その異物をドレンパンに設けられた仕切板に主に沈殿させ、吸引ポンプを用いて仕切板から強制的に異物を除去することにより、異物が排水ポンプの吸入口を閉塞する恐れが低減し、円滑にドレン水を排出することができる空気調和機を提供するものである。
【課題を解決するための手段】
【０００６】
この発明に係る空気調和機は、蒸発器と、前記蒸発器の下側に設けられ、この蒸発器の表面に付着し、滴下したドレン水を受けるドレンパンと、前記ドレンパンの中間に上層部、下層部に区画するように設けられ、前記ドレン水が通る複数の穴が形成されている仕切板と、前記上層部に設けられ、前記ドレンパン内の水位を検出する第一の水位センサーと、前記上層部の内部に端部が臨み、前記ドレン水を排出する排水管と、前記排水管に設けられ、前記水位センサーの信号に応答して前記ドレン水を排出する排水ポンプと、前記下層部に一端部が接続され、異物を含んだ前記ドレン水を通す清掃管と、前記清掃管を通して前記ドレン水を吸引する吸引ポンプと、前記吸引ポンプの上流に設けられ、前記ドレン水に含まれる異物を除去する第一の濾過器とを備えたものである。
【発明の効果】
【０００７】
この発明に係る空気調和機によれば、ドレン水に異物が混入しても、その異物をドレンパンに設けられた仕切板に主に沈殿させ、吸引ポンプを用いて仕切板から強制的に異物を除去することにより、異物が排水ポンプの吸入口を閉塞する恐れが低減し、円滑にドレン水を排出することができる。
【発明を実施するための最良の形態】
【０００８】
図１はこの発明の実施の形態１に係る空調室内機の全体構成図、図２は、図１の構成図の要部拡大図である。
【０００９】
実施の形態１．
空気調和機である空調室内機は、空気調節機能を有する空調室内機本体１と、この空調室内機本体１から発生するドレン水４を排出するための自動清掃型排水装置２と、空調室内機本体１と自動清掃型排水装置２との動作を制御する制御部２０とを有している。
この空調室内機本体１には、冷凍サイクルで使用する蒸発器３が設けられている。
この蒸発器３の下側には、蒸発器３に付着し、滴下したドレン水４を貯留するためのドレンパン５が設けられている。
【００１０】
このドレンパン５の中間には、ドレン水４が通る複数の穴８ａが形成された仕切板８が設けられている。
仕切板８を境にしたドレンパン５の上部には、ドレン水４を溜めるための上層部６が形成されている。仕切板８を境にしたドレンパン５の下部には、ドレン水４を溜めるための下層部７が形成されており、発生したドレン水４は下層部７から溜まりはじめ、満杯になると、上層部６にドレン水４が溜まる。
【００１１】
この上層部６内部には、溜まったドレン水４の所定水位を検知する第一の水位センサー９と、ドレンパン５の許容水位を検知する第二の水位センサーが設けられている。ただし、第二の水位センサーは図示していない。
第一の水位センサー９の近傍には、ドレンパン５内に溜まったドレン水４を吸引するために、上層部６の内部に端部が臨んだ排水管１１が設けられている。この排水管１１には、ドレン水４を排出する排水ポンプ１０が設けられている。
【００１２】
自動清掃型排水装置２では、下層部７から吸引したドレン水４を通すための清掃管１２が設けられている。この清掃管１２には、吸引したドレン水４が下層部７へ逆流するのを防止するための逆止弁１３が設けられている。空調室内機本体１は複数個あり、それぞれの清掃管１２の一端部はそれぞれの空調室内機本体１の下層部７と接続されている。また、それぞれの清掃管１２の他端部は、吸引されたドレン水４を集めるための清掃集合管１４と接続されている。
この清掃集合管１４には、ドレン水４に含まれているゴミ等である異物を除去するための第一の濾過器であるＹ型ストレーナー１５が設けられている。このＹ型ストレーナー１５の下流には、下層部７からドレン水４を吸引するための吸引ポンプ１６が設けられている。この吸引ポンプ１６の下流には、吸引されたドレン水４を貯留するためのタンク１７が設けられており、このタンク１７の内部には、ドレン水４からさらに、異物を除去するための第二の濾過器であるストレーナー１８設けられている。
【００１３】
複数個ある空調室内機本体１では、それぞれの排水管１１の一端部がそれぞれの上層部６の内部に臨んでおり、それぞれの排水管１１の他端部は、排出されたドレン水４を集めるための排水集合管１９と接続されている。
タンク１７の出口は、排水集合管１９と接続されており、この排水集合管１９を通じて、タンク１７からドレン水４が外へ排出される。
【００１４】
第一の水位センサー９及び第二の水位センサーは、制御部２０とそれぞれの信号線を介して接続されている。また、制御部２０は、排水ポンプ１０、吸引ポンプ１６、逆止弁１３とそれぞれの信号線を介して接続されている。
さらに、制御部２０には第一のタイマーと第二のタイマーが設けられている。第一のタイマーには、吸引ポンプ１６の駆動を定期的に開始させる時期が設定され、制御部２０は定期的に吸引ポンプ１６を駆動させる。第二のタイマーには、吸引ポンプ１６を連続的に駆動させる時間が設定され、吸引ポンプ１６が駆動すると第二のタイマーが作動し、所定の時間が経つと、制御部２０は吸引ポンプ１６の駆動を終了させる。
【００１５】
以下、上記構成の空調室内機についての動作を説明する。
まず、空調室内機本体１が冷房運転すると、蒸発器３の外部表面に水滴が付着し、滴下して、ドレン水４が下層部７から溜まりはじめ、上層部６まで溜まる。この時、空気中の異物がドレン水４に混入し、この異物は主に仕切板８上に沈殿する。
次に、第一の水位センサー９が、上層部６に溜まったドレン水４の所定水位を検知すると、その信号が制御部２０に送られる。すると制御部２０は、排水ポンプ１０を駆動させて、排水管１１により上層部６の上部に溜まったドレン水４を排出する。
【００１６】
ところで、空調室内機本体１が所定時間の冷房運転をした後、予め運転時期が設定された第一のタイマーが作動し、制御部２０は吸引ポンプ１６を駆動させ、同時に逆止弁１３を開く。また、吸引ポンプ１６が駆動を開始すると同時に、予め運転時間が設定された第二のタイマーも作動する。
これにより、下層部７および上層部６にあるドレン水４は除去される。それと同時に、仕切板８上に沈殿した異物はドレン水４とともに、仕切板８上の複数の穴８ａを通りぬけ、下層部７を通過し、清掃管１２に入る。
清掃管１２に入ったドレン水４は、その後、Ｙ型ストレーナー１５を通過することにより、ドレン水４に含まれる異物が除去される。
【００１７】
次に、ドレン水４は、吸引ポンプ１６を通過し、タンク１７に一度貯留された後、ストレーナー１８で、さらに、ドレン水４に含まれる異物が除去され、最後に排水集合管１９へ排出される。
第二のタイマーが所定時間作動すると、第二のタイマーは作動を停止し、制御部２０は逆止弁１３を閉め、吸引ポンプ１６の駆動を停止させ、定期的に行なわれるドレンパン５の清掃運転は終了する。
【００１８】
また、例えば、排水ポンプ１０の故障により、排水管１１からのドレン水４の排出が不可能となり、上層部６の中にドレン水４が溜まり、第二の水位センサーはドレン水４が許容水位を超えたことを検知した場合、その信号は制御部２０へ送られる。すると、制御部２０は、吸引ポンプ１６を駆動させ、逆止弁１３を開く。また、吸引ポンプ１６が駆動を開始すると同時に、第二のタイマーが作動を開始することで、清掃管１２を通じてのドレン水４の排出が可能となる。
【００１９】
第二のタイマーが所定時間作動すると、第二のタイマーは作動を停止し、制御部２０は逆止弁１３を閉め、吸引ポンプ１６の駆動を停止させる。
【００２０】
さらに、例えば、Ｙ型ストレーナー１５の目詰まりによりドレン水４が吸引できず、清掃管１２を通じてのドレン水４の排出も不可能となり、第二の水位センサーはドレン水４が許容水位を超えたことを検知した場合には、制御部２０は、空調室内機本体１の運転を停止させる。これにより、ドレン水４がドレンパン５から溢れ出るのを防ぐことができる。
【００２１】
以上、説明したように、この実施の形態１の空調室内機によれば、ドレンパン５に貯留されたドレン水４に異物が混入した場合であっても、異物が含まれているドレン水４は、吸引ポンプ１６により、強制的に、ドレンパン５の外へ排出され、仕切板８の上面に沈殿した異物が除去される。これにより、例えば、空気中の異物がドレン水４に入り込んだとしても、異物が排水ポンプ１０の吸入口を閉塞する恐れが低減し、円滑にドレン水４を排出することができる。
【００２２】
また、清掃管１２には逆止弁１３を設けることにより、一度、吸引されたドレン水４が逆流することを防ぐことができる。
【００２３】
また、タンク１７を設けることにより、吸引されたドレン水４を貯留することができる。これにより、ドレン水４の排出のタイミングを任意に決定できる。
【００２４】
また、タンク１７内にストレーナー１８を設けることにより、タンク１７に貯留されたドレン水４からさらに異物を除去することができる。これにより、Ｙ型ストレーナー１５で、一度異物が除去されたドレン水４をより清浄化することができ、ドレン水４を再利用することができる。
【００２５】
また、空調室内機本体１が複数個あり、それに一個の自動清掃型排水装置２を設けているので、清掃に供されるＹ型ストレーナー１５やストレーナー１８はそれぞれ一個でよく、また、メンテナンスも容易になる。
【００２６】
また、第二の水位センサーの許容水位検知により、制御部２０が自動清掃型排水装置２を駆動させるので、その結果、例えば、排水ポンプ１０の故障があっても、清掃管１２を通じてのドレン水４の排出が可能であるので、ドレンパン５からドレン水４が溢れ出ることはない。
【００２７】
また、タイマーを使用することにより、自動でドレンパン５の清掃を開始、終了することができる。
【００２８】
なお、上記実施の形態１では、空気調和機として空調室内機を例にして説明したが、勿
論このものに限定されるものではなく、除湿機等であってもよい。
【図面の簡単な説明】
【００２９】
【図１】自動清掃型排水装置付き空調室内機の全体構成図である。
【図２】図１の要部拡大図である。
【図３】ドレンパンの拡大図である。
【符号の説明】
【００３０】
１  空調室内機本体、２  自動清掃型排水装置、３  蒸発器、４  ドレン水、５  ドレンパン、６  上層部、７  下層部、８  仕切板、８ａ  穴、９  第一の水位センサー、１０  排水ポンプ、１１  排水管、１２  清掃管、１３  逆止弁、１４  清掃集合管、１５  Ｙ型ストレーナー（第一の濾過器）、１６  吸引ポンプ、１７  タンク、１８  ストレーナー（第二の濾過器）、１９  排水集合管、２０  制御部。
【図１】
2007040636.tif 000003
【図２】
2007040636.tif 000004
【図３】
2007040636.tif 000005